(57)【要約】【課題】低音域の音質を低下させず、且つ音像の定位感がしっかりした音声を放音する小型且つ薄型のスピーカ装置を提供する。【解決手段】スピーカ装置の筐体１の正面壁１１には、長さＬ方向に沿って順にツィータ３、ウーハ２、および、導音管２０の開口部２５が配置されている。導音管２０は、ウーハ２からの音波で振動板１０が共振することで増幅される低音域の音を伝搬して開口部２５から放音する。開口部２５は長さＬ方向に短く、幅Ｗ方向に長い幅広形状からなる。低音域の音声を放音する開口部２５とウーハ２とが近接し、且つ低音域の音声を放音する開口部２５と高音域の音声を放音するツィータ３とが離れていることで、しっかりした音像の定位感をもって聴者に放音することができる。【選択図】  図１
2008131540.tif 000002
【特許請求の範囲】
【請求項１】
互いに対向する第一壁と第二壁とを有し、該第一壁にスピーカユニットが配置された略直方体形状の筐体で、
該筐体の前記第一壁と第二壁との設置間隔である厚みが、前記第一壁および前記第二壁の長さおよび幅よりも短いスピーカ装置であって、
前記第二壁と前記スピーカユニットとの間に前記第二壁に沿って配置され、前記筐体に対して固定される固定端を有し前記スピーカユニットからの放音音声により前記第一壁と前記第二壁とを結ぶ方向を主たる振動方向として共振して振動する振動部材と、
前記第一壁に開口部が形成され、前記振動部材で発生した音波を前記開口部に導く導音管と、
を備え、
前記複数のスピーカユニットは、再生する音声の音域順に配列され、
前記導音管の開口部は、前記第一壁の幅に略一致する幅を有する幅広形状からなり、前記低音域を再生するスピーカユニットを挟み、低音域より高い音域のみを再生するスピーカユニットと対向する側に設置されているスピーカ装置。
【請求項２】
前記スピーカユニットは、それぞれに再生する音域が当該音域の端を除いて異なる複数の単体スピーカユニットからなり、
前記配列のパターンは、高音域を再生する単体スピーカユニットを中心として、配列の両端へ向かって順に再生する音域が低くなるように中音域および低音域を再生する単体スピーカユニットが配列されたものであり、
前記導音管は、前記低音域を再生する単体スピーカユニットのさらに両端側に配置されている請求項１に記載のスピーカ装置。
【請求項３】
前記スピーカユニットは、それぞれに再生する音域が当該音域の端を除いて異なる複数の単体スピーカユニットと、前記再生する音域が異なる複数の単体スピーカユニットで再生される全音域を再生する全音域スピーカユニットと、を備え、
前記配列のパターンは、高音域を再生する単体スピーカユニットを中心として、配列の両端へ向かって順に再生する音域が低くなるように中音域および低音域を再生する単体スピーカユニットが配列され、且つ低音域を再生する単体スピーカユニットのさらに両端側に前記全音域スピーカユニットが配置されたものであり、
前記導音管は、前記全音域スピーカユニットのさらに両端側に配置されている請求項１に記載のスピーカ装置。
【発明の詳細な説明】
【技術分野】
【０００１】
この発明は、電気信号を音声に変換して放音するスピーカ装置、特に、奥行き方向の厚みが薄い壁埋め込み用等の薄型スピーカ装置に関するものである。
【背景技術】
【０００２】
従来、電気信号を音声に変換して放音するスピーカ装置として各種構造のスピーカ装置が存在する。このようなスピーカ装置では、スピーカユニットの形状および特性により再生可能な周波数帯域が決まっており、一般的に口径が小さいほど高域再生を得意とし、口径が大きいほど低域再生を得意とする。したがって、スピーカ装置の形状が小型化されると、必然的にスピーカユニットの口径が小さくなり、低域再生特性が良くなくなる傾向がある。これを解決する方法として、各種の低域補助再生手段が開示されている。例えば、一般的には、スピーカ装置の筐体に低音用ポートを追加したり、ドロンコーンを追加したり、バックロードホーンを追加する。具体的に、特許文献１は、バックロードホーンを追加したものであり、スピーカユニットの裏面側に発生する音をバックロードホーンで増幅して放音するものである。
【特許文献１】特開２０００−９２５８３公報
【発明の開示】
【発明が解決しようとする課題】
【０００３】
ところで、スピーカ装置の使用用途として、カラオケボックスのような比較的小空間内に配置し、特定の人物、すなわち歌唱者や聴者に対して放音する場合がある。このような小空間にスピーカ装置を配置する場合、スピーカ装置の大きさは小さい方が良い。このため、高音域ツィータおよび底中音域ウーハをともに備えるスピーカ装置であれば、小型化の観点から、ツィータの近傍にバックロードホーン等の開口部を配置することとなる。
【０００４】
しかしながら、このような配置とした場合、ツィータからの音声と、バックロードホーン等の低音用再生ユニットからの音声とが極近傍で放音されるので、聴く側の歌唱者、聴者にとっては、しっかりした音像、定位感が得られる。
【０００５】
したがって、本発明の目的は、小型でありながら、迫力ある重低音が再生可能で、且つ音のバランスが良いスピーカ装置を提供することにある。
【課題を解決するための手段】
【０００６】
この発明は、互いに対向する第一壁と第二壁とを有し、該第一壁にスピーカユニットが配置された略直方体形状の筐体で、該筐体の第一壁と第二壁との設置間隔である厚みが、第一壁および第二壁の長さおよび幅よりも短いスピーカ装置に関するものである。このスピーカ装置は、第二壁とスピーカユニットとの間に第二壁に沿って配置され、筐体に対して固定される固定端を有しスピーカユニットからの放音音声により第一壁と第二壁とを結ぶ方向を主たる振動方向として共振して振動する振動部材と、第一壁に開口部が形成され、振動部材で発生した音波を開口部に導く導音管と、を備える。そして、このスピーカ装置では、複数のスピーカユニットは、第一壁に長さ方向に沿って、再生する音声の音域順に配列されている。さらに、導音管の開口部は、第一壁の幅に略一致する幅を有する幅広形状からなり、低音域を再生するスピーカユニットを挟み、低音域より高い音域のみを再生するスピーカユニットと対向する側に設置されていることを特徴としている。
【０００７】
この構成では、厚みの薄い筐体の放音面となる第一壁に、長さ方向を配列方向として、再生する音域順にスピーカユニットが配置される。例えば、最も少ないスピーカユニット数の構成であれば、高音域を再生するスピーカユニットであるツィータと、中音域および低音域を再生するスピーカユニットであるウーハとが、長さ方向に沿って配設される。導音管の開口部は、低音域を再生するスピーカユニットの近傍で、当該スピーカユニットよりも高い音域を再生するスピーカユニットと対向する側に配置される。前記例であれば、導音管の開口部は、ウーハの近傍で、ツィータと対向する側に配置される。すなわち、ツィータ、ウーハ、導音管の開口部の順に第一壁の長さ方向に沿って配設される。この構成により、低音域を再生するスピーカユニットの極近傍から増幅された低音が放音される。この際、導音管の開口部は、配列方向に垂直な幅が広く、配列方向に沿った長さが短いので、導音管の開口部を形成しても、第一壁の面積は、さほど大きくならない。
【０００８】
また、この発明のスピーカ装置は、スピーカユニットを、それぞれに再生する音域が当該音域の端を除いて異なる複数の単体スピーカユニットで構成する。このスピーカ装置のスピーカユニットの配列のパターンは、高音域を再生する単体スピーカユニットを中心として、配列の両端へ向かって順に再生する音域が低くなるように中音域および低音域を再生する単体スピーカユニットが配列されたものである。さらに、このスピーカ装置の導音管は、低音域を再生する単体スピーカユニットのさらに両端側に配置されていることを特徴としている。
【０００９】
この構成では、厚みの薄い筐体の放音面となる第一壁に、長さ方向を配列方向として、再生する音域順にスピーカユニットが配置される。この際、配列方向の中心に最も高音域を再生するスピーカユニットを配置し、配列方向の両端へ向かって、順次高音域を再生するスピーカユニットから徐々に低音域を再生するスピーカユニットを配置していき、配列方向の両端に最も低音域を再生するスピーカユニットを配置する。そして、配列方向の両端のスピーカユニットの近傍で、配列方向に沿った、さらに端部側に、導音管の開口部が配置される。この導音管は、配列方向の寸法（長さ）より、配列方向に垂直な方向の寸法（幅）が長く形成されている。導音管の奥には、低音域の音声を増幅する振動部材が形成されており、当該振動部材で低音域が増幅された音声は、導音管内を伝搬して開口部から外部に放音される。このような構成により、低音域を再生するスピーカユニットの近傍から増幅された低音が放音される。この際、導音管の開口部は、配列方向に垂直な幅が広く、配列方向に沿った長さが短いので、導音管の開口部を形成しても、第一壁の面積は、さほど大きくならない。
【００１０】
また、この発明のスピーカ装置は、スピーカユニットを、それぞれに再生する音域が当該音域の端を除いて異なる複数の単体スピーカユニットと、再生する音域が異なる複数の単体スピーカユニットで再生される全音域を再生する全音域スピーカユニットと、で構成する。このスピーカ装置のスピーカユニットの配列のパターンは、高音域を再生する単体スピーカユニットを中心として、配列の両端へ向かって順に再生する音域が低くなるように中音域および低音域を再生する単体スピーカユニットが配列され、且つ低音域を再生する単体スピーカユニットのさらに両端側に全音域スピーカユニットが配置されたものである。さらに、このスピーカ装置の導音管は、全音域スピーカユニットのさらに両端側に配置されていることを特徴としている。
【００１１】
この構成では、厚みの薄い筐体の放音面となる第一壁に、長さ方向を配列方向として、再生する音域順にスピーカユニットが配置される。この際、配列方向の中心に最も高音域を再生するスピーカユニットを配置し、配列方向の両端へ向かって、順次高音域を再生するスピーカユニットから徐々に低音域を再生するスピーカユニットを配置していき、配列方向の両端に最も低音域を再生するスピーカユニットを配置する。さらに、最も低音域を再生するスピーカユニットの配列方向に沿った、さらに端部側に、全音域を再生する全音域スピーカユニットが配置される。そして、配列方向の両端の全音域スピーカユニットの近傍で、配列方向に沿った、さらに端部側に、導音管の開口部が配置される。この導音管は、配列方向の寸法（長さ）より、配列方向に垂直な方向の寸法（幅）が長く形成されている。導音管の奥には、低音域の音声を増幅する振動部材が形成されており、当該振動部材で低音域が増幅された音声は、導音管内を伝搬して開口部から外部に放音される。このような構成により、低音域を含む全音域を再生する全音域スピーカユニットの近傍から、低音域のみが増幅された音声が放音される。この際、導音管の開口部は、配列方向に垂直な幅が広く、配列方向に沿った長さが短いので、導音管の開口部を形成しても、第一壁の面積は、さほど大きくならない。
【発明の効果】
【００１２】
この発明によれば、小型且つ薄型でありながら、放音する音のバランスを崩すことなく、より迫力のある低音音声を再生するスピーカ装置を簡素な構造で実現することができる。
【発明を実施するための最良の形態】
【００１３】
本発明の第１の実施形態に係るスピーカ装置について図を参照して説明する。
図１は本実施形態のスピーカ装置の三面図であり、（Ａ）は正面図、（Ｂ）は側面断面図、（Ｃ）は裏面壁４を外した状態での裏面図である。
図１に示すように、本実施形態のスピーカ装置は、筐体１、低音域および中音域を主として再生するスピーカユニットであるウーハ２、高音域を主として再生するスピーカユニットであるツィータ３を備える。
【００１４】
筐体１は、正面壁１１、裏面壁４、天面壁１２、底面壁１３、二つの側面壁１５からなる略直方体形状である。筐体１の正面壁１１の長手方向および短手方向にそれぞれ対応する長さLおよび幅Ｗは、正面壁１１と裏面壁４との間隔に相当する厚みＤ（Ｄ≪Ｗ，Ｌ）よりも十分に長い形状に形成されている。なお、図１に示すスピーカ装置では、長さＬは幅Ｗ（Ｗ＜Ｈ）よりも長い形状で形成されている。また、裏面壁４は、筐体１に対して着脱可能に設置されている。
【００１５】
筐体１の正面壁１１には、長さＬ方向に沿って天面壁１２側から順に、ツィータ３、ウーハ２、導音管２０の水平管部２１の開口部２５が配置されている。ツィータ３、ウーハ２は、正面壁１１の幅Ｗ方向の中心に各ユニットの中心が配置されるように設置されている。この際、ツィータ３は、ウーハ２や後述する振動板１０等から独立する閉空間内に配置される。また、図示していないが、ツィータ３およびウーハ２には、これらを振動させるための電気信号を入力する信号ラインが接続されており、外部のオーディオ再生装置やカラオケ装置等から放音信号が入力される。
導音管２０の水平管部２１の開口部は、正面壁１１の幅Wと略同等の幅からなり、長さＬ方向の長さは、当該幅よりも短く、且つウーハ２と正面壁１１の底面側端部との間で、機構上取り得る限り長く設定されている。水平管部２１は、筐体１の底面壁１３と側面壁１５と水平中間壁１４Ａとにより、開口部２５と同形状の正面断面を有する形状からなり、正面壁１１から裏面壁４に至るまで厚みＤ方向に沿って直線的に延びる形状で形成されている。
【００１６】
水平中間壁１４Ａは、底面壁１３と平行に延びる平板状に形成されており、正面壁１１に接続するとともに、裏面壁４から所定距離だけ正面壁１１側の位置まで延びる形状からなる。水平中間壁１４Ａの高さ方向の位置は、ウーハ２の設置位置の最下端にほぼ接する位置に設定されている。
【００１７】
水平中間壁１４Ａの裏面壁４側の端部には、垂直中間壁１４Ｂが設置されている。垂直中間壁１４Ｂは、正面壁１１、裏面壁４に平行に延びる平板状に形成されており、天面壁１２と水平中間壁１４Ａとに接続する。垂直中間壁１４Ｂの厚み方向の位置は、後述する振動板１０が共振して振動した場合にも振動板１０がウーハ２に接しない距離だけ、ウーハ２の最奥端から離間された位置に設定されている。
【００１８】
また、垂直中間壁１４Ｂには、天面壁１２から所定距離で各側面壁１５から所定距離の位置に、天面壁１２、側面壁１５に沿う略Ｕ字形状のスリット５が形成されている。このスリット５により囲まれた、一方端が垂直中間壁１４Ｂと一体化され、他方端が垂直中間壁１４Ｂから離間された部分が振動板１０となる。そして、前記垂直中間壁１４Ｂの一方端が本発明の「固定端」に相当する。
【００１９】
振動板１０は、前述のように、垂直中間壁１４Ｂの水平中間壁１４Ａ側が固定端となる平板状部材からなる。この際、高さ方向の長さは、幅方向の長さと比較して長く形成されており、例えば、幅：高さは、１：１．２〜２．０程度に設定されている。なお、この幅−高さ比は、有効な効果を得られる一例であり、スピーカ装置の仕様により他の比であってもよい。
【００２０】
このように形成された振動板１０を含む垂直中間壁１４Ｂと天面壁１２と裏面壁４と各側面壁１５とにより、導音管２０の垂直管部２２が形成される。垂直管部２２は、水平管部２１と同じ幅からなり、長さ（図１における長さＬ方向の距離）は底面壁１３から天面壁１２に至る長さである。また、垂直管部２２の長さ（図１における厚みＤ方向の距離）は垂直中間壁１４Ｂと裏面壁４との距離により設定される。このような垂直方向を軸とする垂直管部２２と前述の水平方向を軸とする水平管部２１とにより、中間で直角に屈曲する形状の導音管２０が形成される。なお、導音管は、必ずしも直角に屈曲する形状である必要はなく、空気の流れを妨げないような形状、空気抵抗が低くなる形状であればよい。例えば、垂直管部２２と水平管部２１との両方に対して軸が鈍角で交わる斜め方向管部を設け、当該斜め方向管部にて垂直間壁２２と水平管部２１を接続しても良い。
【００２１】
エッジ６は、弾性体により形成され、振動板１０と垂直中間壁１４Ｂとにスリット５を跨いで設置され、振動板１０の振動に追随して変形する。
【００２２】
このようにスリット５がエッジ６で覆われることで、水平中間壁１４Ａ、振動板１０を含む垂直中間壁１４Ｂ、エッジ６により筐体１内に形成される導音管２０の空間は、開口部２５のみが外部に開口する閉空間となる。また、スリット５がエッジ６で気密されることにより、正面壁１１、ウーハ２、天面壁１２、各側面壁１５、水平中間壁１４Ａ、振動板１０を含む垂直中間壁１４Ｂ、エッジ６により、密閉空間３０が形成される。
【００２３】
次に、このような構成のスピーカ装置によって放音される過程を、図２を参照して説明する。
【００２４】
図２は、本実施形態のスピーカ装置の放音過程を説明する図である。
外部のオーディオ再生装置やカラオケ装置等から電気信号からなる放音音声信号がウーハ２とツィータ３に印加される。この際、ウーハ２には、低音域（ｆL）および中音域（ｆM）を含む放音音声信号が印加され、ツィータ３には、高音域（ｆH）のみを有する放音音声信号が印加される。ウーハ２とツィータ３は、それぞれに与えられた放音音声信号を再生し、スピーカ装置（筐体１）の正面方向の外部に放音する。すなわち、ウーハ２およびツィータ３のコーンが振動して、コーンから外部側の空気を振動させて、音波を放射する。
【００２５】
このように、ウーハ２が放音音声信号を再生する際には、音波が筐体１の外部に伝搬されるだけでなく、筐体１の密閉空間３０内にも音波に応じた圧力変化が生じる。
【００２６】
振動板１０は、一端が垂直中間壁１４Ｂに完全に固定されるか一体成形されており、振動板１０の自重を支えられる程度の強度と振動に耐えられるバネ性を有する材質が用いられる。
【００２７】
振動板１０は、密閉空間３０に圧力変化が生じると、板バネのように全体がしなるように変形されるが、固定端での変形は常に「０」、固定端から離れるほど連続的に変形が大きくなるため、固定端の反対側の端部を振動端と呼ぶ。
【００２８】
エッジ６は弾性体であるが、気密だけが目的のため、そのバネ性は、振動板１０のバネ性に対して遙かに小さく設定される。このため、密閉空間３０の音波に応じた圧力変化が生じると、密閉空間３０の容積によって決まる空気バネと片持ち振動板１０の等価質量による共振が生じ、共振周波数付近の帯域を増幅させることができる。
【００２９】
なお、振動板１０の等価質量を変更する際の調整は、筐体１に設置された裏面壁４を取り外し、振動板１０に必要とする錘を備え付けることなどにより実現される。
【００３０】
振動板１０で低音域が増幅された音波（ＤｆL：Ｄは１より大きい定数）は、垂直管部２２の空気を振動させ、垂直管部２２内を伝搬し、当該垂直管部２２より開口部２５に近い水平管部２１に伝搬される。水平管部２１内に伝搬された音波は、垂直管部２２側から開口部２５側に向けて伝搬される。開口部２５に達した音波は、開口部２５から筐体１の正面方向に放射される。これにより、開口部２５からは、低音域が増幅された音声が放音される。このように開口部２５から増幅された低音域音声（ＤｆL）が放音されることで、低音域を再生するウーハ２の極近傍で、且つツィータ３と対向する側から低音域音声が増幅して放音される。これにより、音像が集中するとともに安定した定位感が得られるので、スピーカ装置１から放音される音を、聴者が違和感なく聴き取ることができる。
すなわち、迫力ある低音を再生し、且つ聴者に音的な違和感を与えないスピーカ装置を実現することができる。
【００３１】
さらに、振動板が正面壁でなく、裏面壁側に設置されていることで、ウーハよりも大面積を必要とする振動板を正面壁に配置する必要がない。これにより、スピーカ装置を正面視した形状が小さくなる。この結果、迫力のある低音を、違和感なく再生させるスピーカ装置を小型且つ薄型で実現することができる。また、ツィータ３やウーハ２等のスピーカユニットが配置されている正面壁に対向する、スピーカユニットが配置されていない裏面壁側に、振動板を設置することで、振動板を共振させる音波を発生するスピーカユニット（前述の説明ではウーハ２）よりも大きな面積を要する振動板を、スピーカユニットのみからなるスピーカ装置と変わらない大きさの筐体に配置することができる。
【００３２】
さらに、この際、導音管２０の垂直管部２２および水平管部２１は、筐体１の幅と同等の幅を有するので、導音管２０を伝搬する際に、導音管の口径が小さいこと、すなわち導音する経路が狭いことにより発生する音質的な問題が防止される。したがって、ウーハ２で再生された音声の低音域を正確に増幅した音声が開口部２５から放音される。
【００３３】
また、裏面壁を筐体から取り外し可能に設置することで、筐体内部に設置された振動板の振動特性の調整を容易に行うことができる。
【００３４】
次に、第２の実施形態に係るスピーカ装置について図を参照して説明する。
図３は、本実施形態のスピーカ装置の概略構成を示す正面図および天面断面図であり、（Ａ）が天面断面図、（Ｂ）が正面図である。なお、本実施形態の説明では、筐体１００の正面壁１１１の長手方向（図３で示す横方向）を長さＬ０方向とし、筐体１００の正面壁１１１の短手方向（図３（Ｂ）で示す縦方向）を幅Ｗ０方向として説明する。
図３に示すように、本実施形態のスピーカ装置は、厚み方向（図３（Ａ）における縦方向）の長さＤ０が、幅方向（図３（Ｂ）における縦方向）の長さＷ０よりも大幅に短く、さらに、長さ方向（図３（Ａ），（Ｂ）における横方向）の長さＬ０が、幅方向の長さＷ０よりも大幅に広い形状の筐体１００を備える。
【００３５】
本実施形態のスピーカ装置は、筐体１００の正面壁１１１に複数のスピーカユニットを所定間隔で一直線上に配置した構成を備える。
【００３６】
複数のスピーカユニットは、それぞれが高音域を再生する複数の高音用スピーカユニット１０２と、それぞれが中音域を再生する複数の中音用スピーカユニット１０３と、それぞれが低音域を再生する複数の低音用スピーカユニット１０４とを備える。
【００３７】
これら複数のスピーカユニットは、長さＬ０方向に沿った一直線状の配列軸（図３の一点鎖線）上に配置され、配列方向の中心に４つの高音用スピーカユニット１０２が配置されている。中音用スピーカユニット１０３は、高音用スピーカユニット１０２群を挟むように、配列軸上にそれぞれ２つずつ配置されている。さらに、低音用スピーカユニット１０４は、これら中音用スピーカユニット１０３と高音用スピーカユニット１０２とからなるスピーカユニット群とを挟むように、配列軸上にそれぞれ１つずつ配置されている。
【００３８】
筐体１００における配列軸の延びる方向（長さＬ０方向）の両端には、当該長さＬ０方向に短く、幅Ｗ０方向に長い形状の開口部２５０を有する導音管２００がそれぞれ形成されている。導音管２００は、天面側および底面側から見て、途中で屈曲する形状であり、開口部２５０（正面壁１１１側）から裏面壁１１２側に向かって、厚みＤ０方向に延びる形状の部分と、当該部分に接続し、筐体１００の長さＬ０方向の両端から長さＬ０方向の中心方向に向けて所定長さで延びる部分とからなる。なお、本実施形態においても、導音管２００の形状は、必ずしも図３に示すような直角に屈曲する形状である必要はなく、管内の空気の流れを妨げない形状や、空気抵抗が低くなる形状であればよい。この導音管２００の延びる方向に垂直な断面は、導音管２００内のどの部分であっても、開口部２５０と同様な縦長形状となるように、導音管２００は形成されている。このような導音管２００は、第１垂直中間壁１１５、第２垂直中間壁１１６、第３垂直中間壁１１７、天面壁、底面壁、側面壁１１４、および、裏面壁１１２により形成されている。第１垂直中間壁１１５は、筐体１００内の低音用スピーカ１０４とこれに隣接する中音用スピーカユニット１０５との間に設置された厚みＤ０方向に延びる形状からなる。第２垂直中間壁１１６は、筐体１００の低音用スピーカユニット１０４の近傍で且つ筐体１００の長さＬ０方向における側面壁１１４側に形成されている。第３垂直中間壁１１７は、低音用スピーカユニット１０４の近傍で且つ筐体１００の厚みＤ０方向における裏面壁１１２側に形成されている。
【００３９】
第３垂直中間壁１１７は、第１の実施形態の垂直中間壁１４Ｂと同様の構造からなり、略Ｕ字形状のスリット１０７による振動板１１０を備える。この際、振動板１１０の固定端が側面壁１１４側となるように、スリット１０７が形成されている。そして、弾性体からなるエッジ１０６は、スリット１０７を覆うように設置されている。
これにより、低音用スピーカ１０４の後方には、天面壁、底面壁、第１垂直中間壁１１５、第２垂直中間壁１１６、振動板１１０を有する第３垂直中間壁１１７による密閉空間３００が形成される。また、筐体１における高音用スピーカユニット１０２と中音用スピーカユニット１０３との後方領域には、天面壁、底面壁、正面壁１１１、裏面壁１１２、第1垂直中間壁１１５により密閉空間３１０が形成される。
【００４０】
このような構造では、低音用スピーカユニット１０４が放音すると、密閉空間３００の空気が振動して音波が振動板１００に伝搬される。振動板１００は、この音波により共振状態となり、増幅された音波が導音管２００内の空気を振動させる。この振動により、音波は、導音管２００に伝搬され、導音管２００内を伝搬して、開口部２５０からスピーカ装置の正面方向に低音が増幅された音声が放音される。
【００４１】
このようなアレイ型のスピーカ装置であっても、前述の第１の実施形態と同様に、薄型且つ小型でありながら、迫力のある重低音を再生し且つ聴者に違和感を与えないスピーカ装置を容易な構成で実現することができる。
なお、本実施形態の場合も、図３に示すように、振動板１１０に対面する裏面壁１１２の一部を着脱可能な平板材１４０とすることで、振動板１１０に錘をつける等の振動板１１０の特性調整を容易に行うことができる。
【００４２】
また、本実施形態では、振動板１１０に対応するスピーカユニットを低音用スピーカユニットとしたが、低音域のみでなく、中音域を再生可能なスピーカユニットや、低音域を含む全音域を再生可能なスピーカユニットとしてもよい。このような場合、低音域のみでなく他の音域も含むスピーカユニットであっても、振動板が共振する音域は主として低音域であり、前述の実施形態に示した場合と同様の効果を奏することができる。
【００４３】
また、本実施形態では、高音用スピーカユニットが４つ、中音用スピーカユニットが４つ、低音用スピーカユニットが２つの場合を示したが、各音域を再生するスピーカユニットは、装置の仕様に応じて適宜設定すればよい。
【００４４】
次に、第３の実施形態に係るスピーカ装置について図を参照して説明する。
図４は、本実施形態のスピーカ装置の概略構成を示す正面図および天面断面図であり、（Ａ）が正面図、（Ｂ）が（Ａ）で示すＡ−Ａ面で切った天面断面図であり、（Ｃ）が（Ａ）で示すＢ−Ｂ面で切った天面断面図である。なお、本実施形態の説明では、筐体１００の正面壁１１１の長手方向（図４で示す横方向）を長さＬ１方向とし、筐体１００の正面壁１１１の短手方向（図４（Ａ）で示す縦方向）を幅Ｗ１方向として説明する。  
図４に示すように、本実施形態のスピーカ装置は、図３（第２実施形態）に示したスピーカ装置にように、厚みＤ１方向（図４（Ｂ）における縦方向）の長さが、幅Ｗ１方向（図４（Ａ）における縦方向）の長さよりも大幅に短く、さらに、長さＬ１方向（図４（Ａ），（Ｂ），（Ｃ）における横方向）の長さが、幅Ｗ１方向の長さよりも大幅に広い形状の筐体１００’を備える。
【００４５】
本実施形態のスピーカ装置は、筐体１００の正面壁１１１（本発明の「第一壁」に相当）に複数のスピーカユニットを所定間隔で長さＬ１方向に沿って一直線上に配置した構成を備える。
【００４６】
複数のスピーカユニットは、それぞれが高音域を再生する複数の高音用スピーカユニット１０２と、それぞれが中音域を再生する複数の中音用スピーカユニット１０３と、それぞれが低音域を再生する複数の低音用スピーカユニット１０４と、これら所定音域を再生する各スピーカユニットで再生する全音域を再生する複数の全音域スピーカユニット１０５と、を備える。
【００４７】
これら複数のスピーカユニットは、一直線状の配列軸（図４のＡ−Ａを結ぶ一点鎖線）に沿って配置され、長さＬ１方向である配列方向の中心に４つの高音用スピーカユニット１０２が配置されている。中音用スピーカユニット１０３は、高音用スピーカユニット１０２群を挟むように、配列軸上にそれぞれ１つずつ配置されている。さらに、低音用スピーカユニット１０４は、中音用スピーカユニット１０３と高音用スピーカユニット１０２とからなるスピーカユニット群とを挟むように、配列軸上にそれぞれ１つずつ配置されている。さらに、全音域スピーカユニット１０５は、低音用スピーカユニット１０４、中音用スピーカユニット１０３、高音用スピーカユニット１０２からなるスピーカユニット群を挟むように、配列軸上にそれぞれ１つずつ配置されている。
【００４８】
また、両端の低音用スピーカ１０４と全音域スピーカユニット１０５との間で、正面視して天面１１１側の位置には、高音用スピーカであるツィータ１０６がそれぞれ配置されている。この際、ツィータ１０６の後方空間は、筐体１００’内の他の空間とは独立した空間が形成される構造からなる。
【００４９】
筐体１００’における配列軸の延びる方向の両端には、幅Ｗ１方向に長く、長さＬ１方向に短い形状の開口部２５０を有する導音管２００’がそれぞれ形成されている。導音管２００’は、天面側および底面側から見て、途中で屈曲する形状であり、開口部２５０’（正面壁１１１側）から裏面壁１１２（本発明の「第二壁」に相当）側に向かって、厚みＤ１方向に延びる部分と、当該部分に接続して筐体１００’の幅方向の両端から長さＬ１方向の中心方向に向けて所定長さで延びる部分とからなる。なお、本実施形態においても、導音管２００’の形状は、必ずしも図４に示すような直角に屈曲する形状である必要はなく、管内の空気の流れを妨げない形状や、空気抵抗が低くなる形状であればよい。この導音管２００’の延びる方向に垂直な断面は、導音管２００’内のどの部分であっても、開口部２５０と同様な縦長形状となるように、導音管２００’は形成されている。このような導音管２００’は、第１垂直中間壁１１５、第２垂直中間壁１１６、第３垂直中間壁１１７、天面壁、底面壁、側面壁１１４、および、裏面壁１１２により形成されている。
【００５０】
第１垂直中間壁１１５は、筐体１００内の低音用スピーカ１０４とこれに隣接するツィータ１０６との間に設置された厚みＤ１方向に延びる形状からなる。第２垂直中間壁１１６は、筐体１００’の全音域スピーカユニット１０５の近傍で且つ筐体１００’の長さＬ１方向で側面壁１１４側に形成されている。第３垂直中間壁１１７は、ツィータ１０６の近傍で且つ筐体１００’の厚みＤ１方向における裏面壁１１２側に形成されている。第３垂直中間壁１１７は、筐体１００’の長さＬ１方向に対して、少なくとも全音域スピーカユニット１０５の配置位置を含む長さで形成されている。
【００５１】
第３垂直中間壁１１７は、第２の実施形態の第３垂直中間壁１１７と同様の構造からなり、略Ｕ字形状のスリット１０７による振動板１１０を備える。この際、振動板１１０の固定端が側面壁１１４側となるように、スリット１０７が形成されている。そして、弾性体からなるエッジ１２０は、スリット１０７を覆うように設置されている。この際、振動端側のスリット１０７の位置がツィータ１０６の配置位置に対応するように、振動板１１０が形成されている。これにより、振動板１１０の固定端−振動端間の長さが、全音域スピーカユニット１０５の直径の１．２倍〜１．５倍程度となるように設定することができる。
このように、筐体１００’の両端に３つの垂直中間壁を形成することで、全音域スピーカユニット１０５の後方に密閉空間３００が形成され、高音用スピーカユニット１０２、中音用スピーカユニット１０３、低音用スピーカ１０４の後方に密閉空間３１０が形成される。
【００５２】
このような構造では、全音域スピーカユニット１０５が放音すると、密閉空間３００の空気が振動して音波が振動板１１０に伝搬される。振動板１１０は、この音波により共振状態となり、増幅された音波が導音管２００’内の空気を振動させる。この振動により、音波は、導音管２００’に伝搬され、導音管２００’内を伝搬して、開口部２５０からスピーカ装置の正面方向に低音が増幅された音声が放音される。
【００５３】
このような全音域スピーカユニットを含むアレイ型のスピーカ装置であっても、前述の第２の実施形態と同様に、薄型且つ小型でありながら、迫力のある重低音を再生し、且つ聴者に違和感を与えないスピーカ装置を容易な構成で実現することができる。
なお、本実施形態の場合も、図４に示すように、振動板１１０に対面する裏面壁１１２の一部を着脱可能な平板材１４０とすることで、振動板１１０に錘をつける等の振動板１１０の特性調整を容易に行うことができる。
【００５４】
また、本実施形態では、高音用スピーカユニットが４つ、中音用スピーカユニットが２つ、低音用スピーカユニットが２つ、全音域スピーカユニットが２つの場合を示したが、各音域を再生するスピーカユニットは、装置の仕様に応じて適宜設定すればよい。
【図面の簡単な説明】
【００５５】
【図１】第１の実施形態に係るスピーカ装置の三面図である。
【図２】第１の実施形態のスピーカ装置の放音過程を説明する図である。
【図３】第２の実施形態のスピーカ装置の概略構成を示す正面図および天面断面図である。
【図４】第３の実施形態のスピーカ装置の概略構成を示す正面図および天面断面図である。
【符号の説明】
【００５６】
１−筐体、２−ウーハ、３−ツィータ、４−裏面壁（第二壁）、５−スリット、６−エッジ、１０−振動板、１１−正面壁（第一壁）、１２−天面壁、１３−底面壁、１４Ａ−水平中間壁、１４Ｂ−垂直中間壁、１５−側面壁、２０−導音管、２１−水平管部、２２−垂直管部、３０−密閉空間
１００、１００’−筐体、１０２−高音用スピーカユニット、１０３−中音用スピーカユニット、１０４−低音用スピーカユニット、１０６−ツィータ、１１０−振動板１１１−正面壁、１１２−裏面壁、１１４−側面壁、１１５，１１６，１１７−垂直中間壁、１４０−平板材、２００−導音管、３００，３１０−密閉空間
【図１】
2008131540.tif 000003
【図２】
2008131540.tif 000004
【図３】
2008131540.tif 000005
【図４】
2008131540.tif 000006